(57)【要約】【課題】特定波長の光を遮断及び透過できるハロゲンランプ。【解決手段】ハロゲンランプ１のミラー３の開口部が、薄膜層６を有する保護ガラス５で覆われている。保護ガラス５の薄膜層は、金属等からなるものであり、波長６５０ｎｍ以下の光を遮断し、波長６５０ｎｍを超える可視光を透過することができる。【選択図】図２
0003168392.tif 000002
【実用新案登録請求の範囲】
【請求項１】
口金、ミラー、電球及びミラーの開口部を覆う保護ガラスを有するハロゲンランプであって、
前記保護ガラスが、表面に金属、金属酸化物及び金属フッ化物から選ばれたものからなる薄膜層を有し、下記要件（ａ）を満たすものである、ハロゲンランプ。
（ａ）波長６５０ｎｍ以下の光を遮断し、波長６５０ｎｍを超える任意の可視光を透過することができる光制御作用を有していること。
【請求項２】
口金、ミラー、電球及びミラーの開口部を覆う保護ガラスを有するハロゲンランプであって、
前記保護ガラスが、表面に金属、金属酸化物及び金属フッ化物から選ばれたものからなる薄膜層を有し、下記要件（ａ）、（ｂ）の両方を満たすものである、ハロゲンランプ。
（ａ）波長６５０ｎｍ以下の光を遮断し、波長６５０ｎｍを超える任意の可視光を透過することができる光制御作用を有していること。
（ｂ）赤外線を遮断できる赤外線遮断作用を有していること。
【請求項３】
前記保護ガラスが、常用使用温度が２００℃以上であること及び最高使用温度が４００℃以上であることの少なくも一方を満たす耐熱ガラスである、請求項１又は２記載のハロゲンランプ。
【請求項４】
前記保護ガラス表面に形成された薄膜層が、金属、金属酸化物及び金属フッ化物から選ばれたものからなる蒸着膜層である、請求項１〜３のいずれか１項記載のハロゲンランプ。
【請求項５】
前記保護ガラス表面に形成された薄膜層が、銀、金、プラチナ、アルミニウム、クロム、亜鉛、ニッケルから選ばれた金属、TiO2、Nb2O5、Ta2O5、Al2O3、SiO2、ZrO2から選ばれた金属酸化物及びMgF2からなる蒸着膜層である、請求項１〜４のいずれか１項記載のハロゲンランプ。
【請求項６】
セードと、セード内に収容されたハロゲンランプ、セードに接続されたアームを少なくとも有している新生児用の照明器具であって、
前記ハロゲンランプとして、請求項１〜５のいずれか１項記載のハロゲンランプが使用されている、新生児用の照明器具。
【請求項７】
照明器具が卓上照明器具である、請求項６記載の新生児用の照明器具。
【請求項８】
照明器具がデスクランプ又はアームライトである、請求項６又は７記載の新生児用の照明器具。
【考案の詳細な説明】
【技術分野】
【０００１】
本考案は、ハロゲンランプ及びそれを用いた、新生児が入る新生児室等で使用できる新生児用の照明器具に関する。
【背景技術】
【０００２】
病院の新生児室は、授乳や緊急時のために終日照明器具が点灯されている。しかし、終日照明器具を点灯していると、光により新生児の睡眠障害が引き起こされることが知られている（非特許文献１）。
このような問題を解決するため、波長６５０ｎｍ以下又は波長６２０ｎｍ以下の光を遮断できる保育器フード用カバーが知られている（特許文献１、２）。
【先行技術文献】
【特許文献】
【０００３】
【特許文献１】特許第４４６３１７７号公報
【特許文献２】特開２０１０−１７８８５７号公報
【非特許文献】
【０００４】
【非特許文献１】Mann et al.,BMJ 1986;Brandon et.,J Pediatr2002
【考案の概要】
【考案が解決しようとする課題】
【０００５】
本考案は、照明器具に使用したとき、照明器具を終日点灯した場合であっても、新生児に対して悪影響を及ぼすことがないハロゲンランプと、それを使用した新生児用の照明器具を提供することを課題とする。
【課題を解決するための手段】
【０００６】
本考案は、課題の解決手段として、
口金、ミラー、電球及びミラーの開口部を覆う保護ガラスを有するハロゲンランプであって、
前記保護ガラスが、表面に金属、金属酸化物及び金属フッ化物から選ばれたものからなる薄膜層を有し、下記要件（ａ）を満たすものである、ハロゲンランプと、それを用いた新生児用の照明器具を提供する。
（ａ）波長６５０ｎｍ以下の光を遮断し、波長６５０ｎｍを超える任意の可視光を透過することができる光制御作用を有していること。
【０００７】
本考案は、課題の他の解決手段として、
口金、ミラー、電球及びミラーの開口部を覆う保護ガラスを有するハロゲンランプであって、
前記保護ガラスが、表面に金属、金属酸化物及び金属フッ化物から選ばれたものからなる薄膜層を有し、下記要件（ａ）、（ｂ）の両方を満たすものである、ハロゲンランプと、それを用いた新生児用の照明器具を提供する。
（ａ）波長６５０ｎｍ以下の光を遮断し、波長６５０ｎｍを超える任意の可視光を透過することができる光制御作用を有していること。
（ｂ）赤外線を遮断できる赤外線遮断作用を有していること。
【考案の効果】
【０００８】
本考案のハロゲンランプを使用した新生児用の照明器具は、照明器具を終日点灯した場合でも新生児に悪影響を及ぼすことがなく、授乳時や緊急時にも対応が容易である。
【図面の簡単な説明】
【０００９】
【図１】本考案のハロゲンランプの分解図（組立方法の説明図）（但し、一部を切り取って示している）。
【図２】本考案のハロゲンランプの側面図（但し、一部を切り取って示している）。
【図３】本考案の照明器具の側面図（但し、一部を切り取って示している）。
【図４】本考案の照明器具の使用方法を説明するための図。
【考案を実施するための形態】
【００１０】
＜ハロゲンランプ＞
図１、図２により本考案のハロゲンランプを説明する。
ハロゲンランプ１は、照明器具に接続するための口金２、ミラー３、電球４、薄膜層を有する保護ガラス５を有している。薄膜層を有する保護ガラス５を除いたハロゲンランプは汎用品を使用することができる。
【００１１】
ミラー３は、電球４を包囲するように傘状に開いた状態のものであり、円錐状、角錐状、半球状又はそれらに類似した形状にすることができる。
ミラー３の内表面３ａは、反射板としての機能を有するものであり、例えばダイクロイックミラーを使用することができる。
ミラー３の外表面３ｂは、光が漏れないように遮光状態にしてもよい。遮光状態にするときには、例えば、外表面３ｂを黒色塗装したり、外表面３ｂを黒色の被覆材で覆ったりすることができる。
【００１２】
ミラー３の開口部は保護ガラス５で覆われており、電球４から照射された可視光は、外部に漏れることなく、保護ガラス５から照射されるようになっている。
保護ガラス５は、一面５ａ及びその裏面５ｂのいずれかの面に薄膜層が形成されている。図２では、図１の面５ａに薄膜層６が形成されたものを示している。
【００１３】
保護ガラス５は、ガラス、プラスチック（ポリカーボネート、アクリル樹脂等からなる有機ガラス）を使用することができるが、電球４から発せられる熱線に対する耐熱性を確保するため、常用使用温度（連続して使用できる温度）が２００℃以上であること及び最高使用温度が４００℃以上であることの少なくも一方を満たす耐熱ガラスであることが好ましい。
保護ガラス５として使用できる常用使用温度が２００℃以上の耐熱ガラスとしては、テンパックス（登録商標；独ショット社製，常用使用温度230℃，最高使用温度490℃）、バイコール（登録商標；米国コーニング社製，常用使用温度900℃）、石英ガラス（常用使用温度900℃）、パイレックス（登録商標；米国コーニング社製，常用使用温度230℃，最高使用温度490℃）から選ばれるものを挙げることができる。
保護ガラス５として使用できる最高使用温度が４００℃以上の耐熱ガラスとしては、上記のほかにネオセラム（登録商標；日本電気硝子社製，最高使用温度700℃）、ファイアライト（商品名；日本電気硝子社製）から選ばれるものを挙げることができる。
【００１４】
保護ガラス５の表面に形成された薄膜層６は、金属、金属酸化物及び金属フッ化物から選ばれたものからなる薄膜層であり、薄膜層は蒸着膜層であることが好ましい。また蒸着膜層は単層でもよいし、異なるものからなる複数層でもよい。
保護ガラス５に形成された薄膜層６は、金属、金属酸化物（TiO2、Nb2O5、Ta2O5、Al2O3、SiO2、ZrO2等）及び金属フッ化物（MgF2等）から選ばれたものからなる薄膜層（蒸着膜層）であることが好ましい。
【００１５】
蒸着膜層は、周知の真空蒸着法、スパッタリング法、イオンプレーティング法等を適用して形成することができる。例えば、真空蒸着法を適用するときは、汎用の真空蒸着装置を使用して、真空度１０-4〜１０-5Torrで蒸着膜を形成する。薄膜層（蒸着膜層）の厚みは、１〜１０μm程度である。
【００１６】
薄膜層６を有する保護ガラス５は、下記要件（ａ）のみを満たすもの及び要件（ａ）、（ｂ）の両方を満たすものから選ばれるものである。
（ａ）波長６５０ｎｍ以下の光を遮断し、波長６５０ｎｍを超える任意の可視光を透過することができる光制御作用を有していること。
（ｂ）赤外線を遮断できる赤外線遮断作用を有していること。
【００１７】
要件（ａ）において、波長６５０ｎｍ以下の光を遮断するとは、波長６５０ｎｍ以下の光を８０％以上遮断できることであり、好ましくは８５％以上、より好ましくは９０％以上、さらに好ましくは９５〜１００％遮断できることを意味する。
要件（ａ）において、波長６５０ｎｍを超える任意の可視光を透過するとは、波長６５０ｎｍを超える可視光の８０％以上透過できることであり、好ましくは８５％以上、より好ましくは９０％以上、さらに好ましくは９５〜１００％透過できることを意味する。
なお、ここで波長６５０ｎｍを超える任意の可視光を透過するとは、例えば、６５０ｎｍ超〜６７０ｎｍ未満の可視光は通過させず、６７０ｎｍ以上の可視光又は６７０ｎｍを超える可視光を通過させるような実施形態を含むことを意味する。
要件（ｂ）において、赤外線を遮断できるとは、赤外線を８０％以上遮断できることであり、好ましくは８５％以上、より好ましくは９０％以上、さらに好ましくは９５〜１００％遮断できることを意味する。
【００１８】
薄膜層６を有する保護ガラス５が要件（ａ）の光制御作用ができるようにするためには、上記した金属、金属酸化物及び金属フッ化物から選ばれるものを使用し、真空蒸着法にて、厚さ２〜７μmの蒸着膜層を形成すればよい。
【００１９】
薄膜層６を有する保護ガラス５が要件（ｂ）の赤外線遮断作用ができるようにする場合には、本願発明の課題を解決するためには赤外線を透過させずに可視光を透過させる必要がある。
要件（ｂ）の赤外線遮断作用ができるものは市販品を使用することができ、例えば、赤外線を透過させずに可視光を透過させることができる、商品名ＩＲカットフィルター（セラテックジャパン株式会社製）、商品名ＭＦ−ＣＬＤコールドフィルター（株式会社美館イメージング製）等を挙げることができる。
【００２０】
薄膜層６を有する保護ガラス５が要件（ａ）の光制御作用と要件（ｂ）の赤外線遮断作用の両方ができるようにするためには、光制御作用をする薄膜層の上に赤外線遮断作用をする薄膜層を形成してもよいし、逆の層構成順序にしてもよい。
さらに、保護ガラス５の面５ａ（又は５ｂ）に光制御作用する薄膜層を形成し、面５ｂ（又は５ａ）に赤外性遮断作用する薄膜層を形成することもできる。
このような保護ガラスは、要件（ａ）の光制御作用ができる保護ガラスと要件（ｂ）の赤外線遮断作用ができる保護ガラスを２枚組み合わせて得ることもできる。
【００２１】
＜照明器具＞
本考案の照明器具としては、卓上照明器具、フロアランプのようなものが好ましく、特にデスクランプやテーブルランプのような卓上照明器具が好ましい。なお、本考案では、クランプにより卓（台）に対して着脱自在に固定できるアームライトも卓上照明器具に含まれるものである。
【００２２】
図３により、本考案の照明器具として、汎用品であるアームライト１０を使用した場合の実施形態を説明する。図３では、ハロゲンランプ１が見えるように、セード１１の一部を切り取った状態で示している。
図３に示すアームライト１０では、ハロゲンランプとして、要件（ａ）のみを満たすもの又は要件（ａ）、（ｂ）の両方を満たすものを使用している。
【００２３】
アームライト１０は、セード１１と、セード１１内に収容されたハロゲンランプ１、セード１１に接続されたアーム１６を有している。セード１１の背面側には、電源スイッチ１５が取り付けられている。
【００２４】
次に、図４により、図３に示す本考案の照明器具（アームライト）１０の使用方法を説明する。
台５２の上に保育器フード５１を有する保育器５０が置かれている。台５２には、照明器具（アームライト）１０がクランプ１８にて固定されている。
アームライト１０を点灯したとき、ハロゲンランプ１の薄膜層を有する保護ガラス５の光制御作用により、保育器５０内の新生児には、波長６５０ｎｍ以下の光が遮断され、６５０ｎｍを超える可視光が透過された状態で照射されていることになる。
このため、新生児には睡眠障害等の悪影響を及ぼすことがない。
また本考案の照明器具１０は、夜間、保育器外（新生児室内又は新生児室外）で母親が新生児に授乳するときにも使用することができ、そのときにも新生児には睡眠障害等の悪影響を及ぼすことがない。なお、本考案の照明器具１０は、病院外（例えば、各家庭）においても使用することができる。
【００２５】
本考案のハロゲンランプを使用した照明器具は、新生児用の照明器具として新生児室内又は新生児室外、病院外（例えば、各家庭）にて使用するものであるが、動物飼育用の照明器具として飼育室等で使用した場合には、動物を刺激したり、動物に悪影響を与えたりすることなく、夜間でも、人（飼育員等）が目視で動物の状態を観察できるようになる。
【実施例】
【００２６】
実施例１
厚さ２ｍｍの耐熱ガラス（パイレックス;登録商標）の一面に対して、真空蒸着法により金属酸化物（TiO2、Nb2O5、Ta2O5）からなる複数層の蒸着膜（厚さ約２〜７μm）を形成して、薄膜層を有する保護ガラスを得た。
この保護ガラスの光透過性を日立ハイテクノロジー製「U−4100型分光光度計」により測定したところ、６５０ｎｍ以下の光をほぼ１００％遮断し、６５０ｎｍを超える光をほぼ１００％透過した（要件（ａ）の光制御作用を有している）。
この保護ガラスを市販のハロゲンランプの保護ガラスとして使用することにより、６５０ｎｍ以下の光をほぼ１００％遮断でき、６５０ｎｍを超える光をほぼ１００％透過できるハロゲンランプを得ることができた。
【００２７】
実施例２
金属酸化物としてAl2O3、SiO2、ZrO2を使用したほかは実施例１と同様にして、薄膜層を有する保護ガラスを得た。この保護ガラスは、実施例１と同じ光制御作用を有していた。
【００２８】
実施例３
実施例１の保護ガラスと、商品名ＭＦ−ＣＬＤコールドフィルター（株式会社美館イメージング製）を組み合わせることにより、要件（ａ）の光制御作用と要件（ｂ）の赤外線遮断作用を有するハロゲンランプを得ることができた。
【符号の説明】
【００２９】
１  ハロゲンランプ
２  口金
３  ミラー
４  電球
５  保護ガラス
６  薄膜層
１０  照明器具（アームライト）
１１  セード
１５  スイッチ
１６  アーム
１８  クランプ
５０  保育器
５１  保育器フード
【図１】
0003168392.tif 000003
【図２】
0003168392.tif 000004
【図３】
0003168392.tif 000005
【図４】
0003168392.tif 000006